(57)【特許請求の範囲】
【請求項１】
試し書きに基づいて算出された最適記録パワーによって記録媒体に情報を記録する手段を備えた情報記録装置において、
各々異なる波長の光を出射する二つの光源と、前記一方の光源からの光の照射時の再生信号と前記他方の光源からの光の照射時の再生信号とを選択して出力する選択手段と、
前記選択手段から出力された再生信号を増幅して出力する可変利得増幅手段と、
前記選択手段から出力された再生信号に基づいて前記可変利得増幅手段の利得を算出及び設定する利得算出設定手段と、
前記可変利得増幅手段から出力された再生信号の正側ピーク値を検出する第一の検出手段と、
前記可変利得増幅手段から出力された再生信号の負側ピーク値を検出する第二の検出手段と、
前記可変利得増幅手段から出力された再生信号の直流成分値を検出する第三の検出手段と、
前記第一乃至第三の検出手段によって検出された何れか二つ以上の値に基づいて前記最適記録パワーを算出する最適記録パワー算出手段とを設けたことを特徴とする情報記録装置。
【請求項２】
請求項１記載の情報記録装置において、
前記第一の検出手段及び前記第二の検出手段は、光を照射している光源及び線速度に従って充電・放電時定数を変化させる手段であり、前記第三の検出手段は、光を照射している光源及び線速度に従って遮断周波数を変化させるローパスフィルタであることを特徴とする情報記録装置。
【請求項３】
請求項１記載の情報記録装置において、
前記記録媒体の試し書き領域を再生し、前記第一乃至第三の検出手段によって値を検出する際には、前記可変利得増幅手段から出力された再生信号の信号帯域が前記第一及び第二の検出手段の放電時定数より定まる所定値にほぼ一致するように線速度を制御することを特徴とする情報記録装置。
【請求項４】
請求項１乃至３のいずれか一項に記載の情報記録装置において、前記一方の光源がＣＤ用光源であり、前記他方の光源がＤＶＤ用光源であることを特徴とする情報記録装置。
【発明の詳細な説明】
【０００１】
【発明の属する技術分野】
この発明は、試し書きに基づいて算出された最適記録パワーによって記録媒体に情報を記録するＣＤ−ＲＯＭドライブ装置，ＣＤ−Ｒドライブ装置，ＣＤ−ＲＷドライブ装置，ＤＶＤ−ＲＯＭドライブ装置，ＤＶＤ−Ｒドライブ装置など記録可能な光ディスク装置全般である情報記録装置に関する。
【０００２】
【従来の技術】
記録可能な光ディスク装置では、半導体レーザ（ＬａｓｅｒＤｉｏｄｅ：ＬＤ）を光源とし、記録情報によりパルス変調されたこのレーザ光を記録媒体に照射し、記録マークを形成する。
この時、記録するレーザのパワーにより記録マークの形成状態が変化するため、従来より記録媒体の特性に適した記録パワーを求めるために、記録開始の準備として予め所定の試し書き領域（Ｐｏｗｅｒ  Ｃａｌｉｂｒａｔｉｏｎ  Ａｒｅａ：ＰＣＡ）に記録パワーを変化させながら試し書きを行い、試し書き後、その領域の再生信号の品質が最も良好である領域を記録したパワーを最適記録パワーとして求めるという、いわゆる最適記録パワー決定方法（Ｏｐｔｉｍｕｍ  Ｐｏｗｅｒ  Ｃｏｎｔｒｏｌ：ＯＰＣ）という方法が用いられている。
【０００３】
実際のデータの記録時には、上述のようにして求めた最適記録パワーを保ちながら記録を行う。
また、再生信号の品質評価方法としてはいくつかの方法が提案されているが、代表的な方法として以下の方法が実用化されている。
第一には、再生信号のアシンメトリから評価する方法（以下「β法」と称する）である。
すなわち、図５に示すように、再生信号のＤＣレベルに対する正側ピーク値Ａと負側ピーク値Ｂを検出し、次の数１に従ってアシンメトリβを算出し、そのアシンメトリβが所定値（例えば“０”）になる再生信号を良好とする方法である。
【０００４】
【数１】
β＝（Ａ＋Ｂ）／（Ａ−Ｂ）
【０００５】
第二には、再生信号の変調度を用いて評価する方法（以下「γ法」と称する）である。
まず、図６に示すように、再生信号の正側ピーク値Ｉｍａｘと負側ピーク値Ｉｍｉｎを検出し、次の数２に従って変調度値ｍを算出する。
【０００６】
【数２】
ｍ＝（Ｉｍａｘ−Ｉｍｉｎ）／Ｉｍａｘ
【０００７】
さらに、上記算出された変調度値ｍとそのときの記録パワーＰとに基づいて、変調度値の記録パワーに対する変化値γを次の数３に従って算出する。
【０００８】
【数３】
γ＝（ｄｍ／ｄＰ）・（Ｐ／ｍ）
【０００９】
そして、変化値γが所定値γｔとなる記録パワーＰｔを求め、それに所定の係数ｋをかけたものを最適記録パワーとして決定する。
上記いずれの方法にしろ、精度良く最適記録パワーを算出するには、その検出信号である再生信号の正側ピーク値及び負側ピーク値を精度よく検出する必要がある。
【００１０】
【発明が解決しようとする課題】
ところで、近年、ＣＤとＤＶＤのように異なる波長の光源で記録再生する装置が実用化され、これら双方の情報記録媒体に記録再生可能な装置の開発が行われている。
しかしながら、異なる波長の光源で記録再生可能な装置である場合、例えばＣＤ及びＤＶＤ双方に記録再生可能な装置の場合、ＯＰＣ用検出信号である再生信号の正側ピーク値及び負側ピーク値を検出する検出手段を共通化するには次のような問題が生じる恐れがあり、実現困難あるいは回路規模が非常に大きくなるという問題があった。
【００１１】
すなわち、光ピックアップの設計によっては各々の光源照射時のディスク反射光を受光した受光信号にレベル差を生じて一方の信号レベルが小さくなるため、検出値に対してホールドオフセット等の誤差が無視できなくなったり、またＣＤとＤＶＤのように再生信号の信号帯域が異なる場合、エンベロープ検出手段であるピークホールド回路やボトムホールド回路の放電時定数が一方の再生信号にとって適切ではないことがあり、このような場合、図７の（ｂ）に示すようにピーク値が正確に検出できない恐れがある。
また、これらの回路を個別に備えるには装置の小型化，省電力化には当然のことながら不利である。
【００１２】
この発明は上記の課題を解決するためになされたものであり、異なる波長の光源を用いて記録媒体に情報を記録する情報記録装置において、再生信号レベルや信号帯域の異なる場合であっても再生信号の正側ピーク値及び負側ピーク値検出手段を共通化して実現できるようにすることを目的とする。
【００１３】
【課題を解決するための手段】
この発明は上記の目的を達成するため、試し書きに基づいて算出された最適記録パワーによって記録媒体に情報を記録する手段を備えた情報記録装置において、各々異なる波長の光を出射する二つの光源と、上記一方の光源からの光の照射時の再生信号と上記他方の光源からの光の照射時の再生信号とを選択して出力する選択手段と、上記選択手段から出力された再生信号を増幅して出力する可変利得増幅手段と、上記選択手段から出力された再生信号に基づいて上記可変利得増幅手段の利得を算出及び設定する利得算出設定手段と、上記可変利得増幅手段から出力された再生信号の正側ピーク値を検出する第一の検出手段と、上記可変利得増幅手段から出力された再生信号の負側ピーク値を検出する第二の検出手段と、上記可変利得増幅手段から出力された再生信号の直流成分値を検出する第三の検出手段と、上記第一乃至第三の検出手段によって検出された何れか二つ以上の値に基づいて上記最適記録パワーを算出する最適記録パワー算出手段を設けるとよい。
【００１４】
また、上記のような情報記録装置において、上記第一の検出手段及び上記第二の検出手段を、光を照射している光源及び線速度に従って充電・放電時定数を変化させる手段にし、上記第三の検出手段を、光を照射している光源及び線速度に従って遮断周波数を変化させるローパスフィルタにするとよい。
【００１５】
さらに、上記のような情報記録装置において、上記記録媒体の試し書き領域を再生し、上記第一乃至第三の検出手段によって値を検出する際には、上記可変利得増幅手段から出力された再生信号の信号帯域が上記第一及び第二の検出手段の放電時定数より定まる所定値にほぼ一致するように線速度を制御するとよい。
【００１６】
さらにまた、上記のような情報記録装置において、上記一方の光源をＣＤ用光源にし、上記他方の光源をＤＶＤ用光源にするとなおよい。
【００１７】
【発明の実施の形態】
以下、この発明の実施形態を図面に基づいて具体的に説明する。
図１は、この発明の第１実施形態である情報記録装置における要部構成であるＯＰＣ検出信号検出部の構成を示すブロック図である。
また、図２は図１に示したＯＰＣ検出信号検出部でのピーク値の検出及び直流成分の抽出の説明に供する波形図である。
この図１及び図２に基づいてこの発明の第１実施形態の構成及び動作を説明する。
【００１８】
図１に示すように、再生信号Ｓｒｆ１は、二つの光源の内の一方の光源（ここではＣＤ用光源とする）の光の照射時に光ディスク（例えば、ＣＤ−Ｒ，ＣＤ−ＲＷなどの記録可能な記録媒体）からの反射光を受光して得られた再生信号である。
また、再生信号Ｓｒｆ２は、他方の光源（ここではＤＶＤ用光源とする）の光の照射時に光ディスク（例えば、ＤＶＤ−Ｒ，ＤＶＤ−ＲＡＭなどの記録可能な記録媒体）からの反射光を受光して得られた再生信号である。
セレクタ３は、上記どちらの光源から出射されているかを示す光源選択信号ＳＥＬに従って再生信号Ｓｒｆ１あるいは再生信号Ｓｒｆ２を選択出力する（上記選択手段に相当する）。このセレクタ３によって再生信号の一方が有効になり、後段の回路は共通に用いる。
【００１９】
可変ゲインアンプ４は、ゲイン設定部１０からの入力ゲイン制御信号に従ってゲインを可変し、セレクタ３によって選択された再生信号を増幅（あるいは減衰）し、再生信号Ｓｒｆ（ｄｃ）を出力する（上記可変利得増幅手段に相当する）。
ハイパスフィルタ（ＨＰＦ）５は、可変ゲインアンプ４から出力された再生信号Ｓｒｆ（ｄｃ）の直流成分を除去した再生信号Ｓｒｆ（ａｃ）を出力する。
ピークホールド回路（Ｐ／Ｈ）６は、図２の（ｂ）に示すように、ＨＰＦ５から出力された再生信号Ｓｒｆ（ａｃ）の正側ピーク値を検出するピークホールド回路であり、検出信号Ｓｐｋを出力する（上記第一の検出手段に相当する）。
【００２０】
ボトムホールド回路７は、同じく図２の（ｂ）に示すように、ＨＰＦ５から出力された再生信号Ｓｒｆ（ａｃ）のボトム値（負側ピーク値）を検出するボトムホールド回路であり、検出信号Ｓｂｔを出力する（上記第２の検出手段に相当する）。
この時、ピークホールド回路６及びボトムホールド回路７の放電時定数及び充電時定数は、どちらの光源から出射されているかを示す光源選択信号ＳＥＬ及び線速度により定まる再生信号帯域指示信号Ｓｆｑに従って変化し、検出誤差及び応答速度が適正となるように設定する。
具体的には、例えば、ホールドコンデンサへの充電・放電電流を変化させればよい。
【００２１】
ローパスフィルタ（ＬＰＦ）８は、図２の（ａ）に示すように、可変ゲインアンプ４から出力された再生信号Ｓｒｆ（ｄｃ）の直流成分を抽出し、その直流成分に相当する検出信号Ｓｃｔを生成して出力する（上記第三の検出手段に相当する）。
また、再生信号Ｓｒｆ１と再生信号Ｓｒｆ２の信号帯域が大きく異なる場合などは、このＬＰＦ８のカットオフ周波数を前述の再生信号帯域指示信号Ｓｆｑに従って変化させるようにすれば、検出応答速度及び検出誤差を適切に設定することができる。
【００２２】
同様にして、ＨＰＦ５のカットオフ周波数も再生信号帯域指示信号Ｓｆｑに従って変化させるようにすればよい。
このカットオフ周波数は、再生信号の位相特性などに影響を与えず、且つ低周波変動成分を除去できるように適切に設定されることが望ましい。
パワー算出部９は、検出信号Ｓｐｋ，検出信号Ｓｂｔ及び検出信号Ｓｃｔを入力し、以下に示す手順によって最適記録パワーを算出する（上記最適記録パワー算出手段に相当する）。ここでは前述のβ法及びγ法による算出について説明する。
【００２３】
まず、所定の試し書き領域に記録パワーを段階的に変化させながら記録する。
次に、この試し書きした領域を再生し、記録パワーと対応付けて検出信号Ｓｐｋ，検出信号Ｓｂｔ及び検出信号Ｓｃｔを検出する。ここまでの手順はβ法及びγ法共共通である（但し、β法の場合は検出信号Ｓｃｔの検出は不要である）。
【００２４】
次に、β法による算出の場合は、次の数４に従ってアシンメトリβを算出し、これが所定値（例えば“０”）となる記録パワーを最適記録パワーとして決定する。
【００２５】
【数４】
β＝（Ｓｐｋ＋Ｓｂｔ）／（Ｓｐｋ−Ｓｂｔ）
【００２６】
次に、γ法による算出の場合は、次の数５に従って変調度値ｍを算出し、対応する記録パワーＰとから次の数６に従って変化値γを算出する。
そして、変化値γが所定値γｔとなる記録パワーＰｔを求め、これに所定の係数ｋをかけたものを最適記録パワー値として決定する。
なお、所定値γｔ及び係数ｋは、予め光ディスク毎に定められた値がプリフォーマットされている（例えば、ＣＤ−ＲやＣＤ−ＲＷにはＡＴＩＰ情報にプリフォーマットされている）。
【００２７】
【数５】
ｍ＝（Ｓｐｋ−Ｓｂｔ）／（Ｓｐｋ＋Ｓｃｔ）
【００２８】
【数６】
γ＝（ｄｍ／ｄＰ）・（Ｐ／ｍ）
【００２９】
また、上述以外の方法で最適記録パワーを求めるものであっても、上記検出信号Ｓｐｋ，検出信号Ｓｂｔ及び検出信号Ｓｃｔを用いるものであれば、この発明に係わる効果を得られる。
【００３０】
ゲイン設定部１０は、可変ゲインアンプ４のゲインを設定する入力ゲイン制御信号を算出するものであり、光ディスクのディスク反射率の変動などによる再生信号の変動要因を補正し、ほぼ一定の信号レベルとなるようにする（上記利得算出設定手段に相当する）。
この変動要因には、ディスク反射率変動や受光素子の変換効率バラツキ、再生信号に変換する際の電流電圧変換係数のバラツキ（通常抵抗値のバラツキ）、光ディスクからの反射光が受光素子に入射するまでの復路効率のバラツキなどの装置固有のバラツキなどがある。
【００３１】
この第一実施形態のように異なる光源の照射光を受光して再生信号を検出する場合には、その再生信号レベル差が大きくなることがあるが、このような入力ゲイン調整を行うことにより、ピークホールド回路６などに入力される信号がほぼ一定レベルとなるので、いずれの場合においても検出信号に対するホールドオフセットなどの誤差成分が低く抑えられる。
また、入力ゲインの算出にはセレクタ３から出力された再生信号のＤＣレベルあるいはピークレベルを検出し、これが所定値となるゲインを算出すればよい。
なお、検出手段にはＬＰＦやピークホールド回路を用いればよく、可変ゲインアンプ４を所定のゲインに固定してＬＰＦ８やピークホールド回路６を兼用してもよい。
【００３２】
また、入力ゲインの設定は、上述の主旨からわかるように、所定値に精度よく合わせる必要はなく、ある範囲内になるよう設定すればよいので、可変ゲインアンプ４のゲイン設定分解能，精度はそれほど必要とせず、簡易な回路構成で十分である。
また、装置固有のバラツキ係数は記録再生動作中ほぼ固定であり、ディスク反射率の変化分もディスク毎にほぼ固定であり、面内でのバラツキは通常大きくない。
したがって、入力ゲインの設定は光ディスク挿入後に一度行うだけでも、再生信号は大きく変動しないので、この発明の効果が十分得られる。
【００３３】
上述したように、再生信号の信号帯域は再生速度（線速度）に応じて変化する。逆に、線速度を変えれば再生信号の信号帯域をほぼ同一とすることができる。
例えば、ＣＤとＤＶＤの場合、ＣＤの線速度をＤＶＤの約２倍とすればほぼ同等の信号帯域になる。
したがって、ＯＰＣ検出信号の検出の際、このように線速度を変更するようにすれば、ピークホールド回路６やボトムホールド回路７の充電・放電時定数が固定でも正確にピーク値が検出できる。また、ＨＰＦ５やＬＰＦ８のカットオフ周波数も変更する必要がなくなる。
【００３４】
次に、この発明の第２実施形態を図３及び図４に基づいて説明する。
図３は、この発明の第２実施形態である情報記録装置における要部構成であるＯＰＣ検出信号検出部の構成を示すブロック図である。
また、図４は図１に示したＯＰＣ検出信号検出部でのピーク値の検出及び直流成分の抽出の説明に供する波形図である。
図３に示すように、このＯＰＣ検出信号検出部は、図１に示したＯＰＣ検出信号検出部からＨＰＦ５を取り除いたものと同じ構成であり、図４に示したように、検出信号Ｓｐｋ，検出信号Ｓｂｔ及び検出信号Ｓｃｔを検出する。
また、パワー算出部９は、上記第一実施形態のパワー算出部９と同様の手順によって最適記録パワーを算出する。但し、アシンメトリβ値の演算を次の数７にしたがって、また変調度値ｍの演算を次の数８にしたがってそれぞれ求める。
【００３５】
【数７】
β＝（（Ｓｐｋ＋Ｓｂｔ）−２・Ｓｃｔ）／（Ｓｐｋ−Ｓｂｔ）
【００３６】
【数８】
ｍ＝（Ｓｐｋ−Ｓｂｔ）／Ｓｐｋ
【００３７】
さらに、上記の実施形態では、２つの光源から照射された時の再生信号を別々に生成する場合について説明したが、共通の受光手段・回路で再生信号を生成する場合にも生成された再生信号をセレクタ３からの出力の代わりに用いることにより、同様の効果が得られることは言うまでもない。
【００３８】
このようにして、この発明の請求項１に係わる機能を備えた情報記録装置によれば、２つの光源の再生信号を選択し、これを増幅する可変利得増幅手段を備え、この出力が略所定値となるように再生信号より利得を算出・設定し、この信号の正側ピーク値及び負側ピーク値を検出するようにしているので、ディスク反射率や装置のバラツキなどにより再生信号レベルが大きく異なる場合であっても、検出信号に対するホールドオフセットなどの誤差成分を低く抑えることができ、検出回路を共通化して実現することができる。
【００３９】
また、この発明の請求項２に係わる機能を備えた情報記録装置によれば、照射している光源及び線速度に従って検出手段の充電・放電時定数などを変化させるので、再生信号の信号帯域が異なる場合であっても、正確な検出を共通化して構成することができる。
さらに、この発明の請求項３に係わる機能を備えた情報記録装置によれば、再生信号の信号帯域が所定値にほぼ一致するように線速度を制御するので、検出手段を簡便な構成で共通化することができ、検出値も精度よく検出することができる。
また、この発明の請求項４に係わる機能を備えた情報記録装置によれば、ＣＤ及びＤＶＤの記録再生装置において上述した効果を得ることができる。
【００４０】
【発明の効果】
以上説明してきたように、この発明の情報記録装置によれば、異なる波長の光源を用いて記録媒体に情報を記録する情報記録装置において、再生信号レベルや信号帯域の異なる場合であっても再生信号の正側ピーク値及び負側ピーク値検出手段を共通化して実現することができる。
【図面の簡単な説明】
【図１】この発明の第１実施形態である情報記録装置における要部構成であるＯＰＣ検出信号検出部の構成を示すブロック図である。
【図２】図１に示したＯＰＣ検出信号検出部でのピーク値の検出及び直流成分の抽出の説明に供する波形図である。
【図３】この発明の第２実施形態である情報記録装置における要部構成であるＯＰＣ検出信号検出部の構成を示すブロック図である。
【図４】図１に示したＯＰＣ検出信号検出部でのピーク値の検出及び直流成分の抽出の説明に供する波形図である。
【図５】再生信号のアシンメトリから再生信号の品質を評価する方法で用いる再生信号のＤＣレベルに対する正側ピーク値と負側ピーク値の一例を示す波形図である。
【図６】再生信号の変調度から再生信号の品質を評価する方法で用いる再生信号のＤＣレベルに対する正側ピーク値と負側ピーク値の一例を示す波形図である。
【図７】従来の再生信号レベルや信号帯域が異なるときにピーク値を正確に検出できなくなる説明に供する波形図である。
【符号の説明】
３：セレクタ            ４：可変ゲインアンプ
５：ハイパスフィルタ    ６：ピークホールド回路
７：ボトムホールド回路  ８：ローパスフィルタ
９：パワー算出部        １０：ゲイン設定部
【図１】
0003720721.tif 000002
【図２】
0003720721.tif 000003
【図３】
0003720721.tif 000004
【図４】
0003720721.tif 000005
【図５】
0003720721.tif 000006
【図６】
0003720721.tif 000007
【図７】
0003720721.tif 000008